(57)【要約】【課題】携帯電話機と設置されているカメラとの位置情報により、制御対象となる候補カメラを特定し、携帯電話機の利用者の操作により遠隔地に設置されているカメラによる撮像を可能とする撮像システム等を提供する。【解決手段】携帯電話機３０の位置を特定する位置情報と、予め設置されている複数のカメラ４０の位置情報とに基づいて、携帯電話機３０の周辺領域を撮像可能な候補カメラ４０を特定し、特定された候補カメラ４０のうち、実際に撮像を行う一の撮像カメラを携帯電話機３０との距離やダウンロード数に応じて決定し、決定した撮像カメラ４０と携帯電話機３０との位置関係、及び／又は携帯電話機３０からの操作入力情報に基づいて、撮像カメラ４０の動作を制御して撮像処理を行い、撮像した撮像情報を保存し、保存された撮像情報を携帯電話機３０にダウンロードする。【選択図】図１
2011155584.tif 000002
【特許請求の範囲】
【請求項１】
携帯電話機から遠隔地に設置されたカメラの動作を制御して撮像する撮像システムにおいて、
前記携帯電話機の位置を特定する位置特定手段と、
前記位置特定手段が特定した前記携帯電話機の位置情報と、設置されているカメラの位置情報とに基づいて、少なくとも前記携帯電話機を含む当該携帯電話機の周辺領域を撮像可能な候補カメラを特定するカメラ候補特定手段と、
前記カメラ候補特定手段が特定した候補カメラのうち、実際に撮像を行う一の撮像カメラを決定するカメラ決定手段と、
前記カメラ決定手段が決定した撮像カメラと前記携帯電話機との位置関係、及び／又は前記携帯電話機からの操作入力情報に基づいて、前記カメラ決定手段が決定した撮像カメラの動作を制御し、撮像処理を行うカメラ制御手段と、
前記撮像カメラが撮像した撮像情報を保存する撮像情報保存手段と、
前記撮像情報保存手段が保存した撮像情報をダウンロードするダウンロード手段とを備えることを特徴とする撮像システム。
【請求項２】
請求項１に記載の撮像システムにおいて、
前記カメラ候補特定手段が、前記候補カメラを特定した場合に、当該候補カメラの情報を前記携帯電話機に通知することを特徴とする撮像システム。
【請求項３】
請求項２に記載の撮像システムにおいて、
前記カメラ候補特定手段が、前記候補カメラを複数特定した場合に、当該候補カメラの情報を当該候補カメラと前記携帯電話機との距離、又は当該候補カメラごとの撮像情報のダウンロード数順に通知することを特徴とする撮像システム。
【請求項４】
請求項２又は３に記載の撮像システムにおいて、
前記カメラ候補特定手段が、前記候補カメラを複数特定した場合に、当該特定された候補カメラごとのリアルタイムの撮像情報を前記携帯電話機に通知し、
前記携帯電話機の表示画面に、前記複数の特定された候補カメラごとのリアルタイムの撮像情報を同時に分割表示する表示制御手段を備えることを特徴とする撮像システム。
【請求項５】
携帯電話機から遠隔地に設置されたカメラの動作を制御して撮像する撮像方法において、
前記携帯電話機の位置を特定する位置特定ステップと、
前記位置特定ステップが特定した前記携帯電話機の位置情報と、設置されているカメラの位置情報とに基づいて、少なくとも前記携帯電話機を含む当該携帯電話機の周辺領域を撮像可能な候補カメラを特定するカメラ候補特定ステップと、
前記カメラ候補特定ステップが特定した候補カメラのうち、実際に撮像を行う一の撮像カメラを決定するカメラ決定ステップと、
前記カメラ決定ステップが決定した撮像カメラと前記携帯電話機との位置関係、及び／又は前記携帯電話機からの操作入力情報に基づいて、前記カメラ決定ステップが決定した撮像カメラの動作を制御し、撮像処理を実行するステップと、
前記撮像カメラが撮像した撮像情報を保存する撮像情報保存ステップと、
前記撮像情報保存ステップが保存した撮像情報をダウンロードするダウンロードステップとを含むことを特徴とする撮像方法。
【請求項６】
携帯電話機から遠隔地に設置されたカメラの動作を制御して撮像するようにコンピュータを機能させる撮像プログラムにおいて、
前記携帯電話機の位置を特定する位置特定手段、
前記位置特定手段が特定した前記携帯電話機の位置情報と、設置されているカメラの位置情報とに基づいて、少なくとも前記携帯電話機を含む当該携帯電話機の周辺領域を撮像可能な候補カメラを特定するカメラ候補特定手段、
前記カメラ候補特定手段が特定した候補カメラのうち、実際に撮像を行う一の撮像カメラを決定するカメラ決定手段、
前記カメラ決定手段が決定した撮像カメラと前記携帯電話機との位置関係、及び／又は前記携帯電話機からの操作入力情報に基づいて、前記カメラ決定手段が決定した撮像カメラの動作を制御し、撮像処理を行うカメラ制御手段、
前記撮像カメラが撮像した撮像情報を保存する撮像情報保存手段、
前記撮像情報保存手段が保存した撮像情報をダウンロードするダウンロード手段としてコンピュータを機能させる撮像プログラム。
【発明の詳細な説明】
【技術分野】
【０００１】
本発明は、遠隔地に設置されているカメラを携帯電話機で制御する撮像システム等に関する。
【背景技術】
【０００２】
現在カメラ付き携帯電話機の高性能化により、観光地や遊技施設等で携帯電話機のカメラを使った記念撮影が一般的に行われている。グループ全員で記念撮影をする場合には、第三者に携帯電話機を渡して撮影してもらう必要があるが、携帯電話機には個人情報や財布の代わりとなるような機能もあり、第三者に携帯電話機を渡すことに抵抗がある人が多い。また、第三者に声を掛けるのが苦手な人や声を掛けるのが億劫な人は、記念撮影を諦めてしまうことが多々ある。
【０００３】
携帯電話機によりカメラの動作を制御する技術として、特許文献１に示す技術が開示されている。特許文献１に示す技術は、携帯電話等の端末から通信回線を利用してカメラの撮像方向を変えることができる首振りカメラを遠隔操作し、その首振りカメラにより得られた静止画を画像データとして通信回線を経由して携帯電話に設けられた表示部に表示するシステムにおいて、画像データの圧縮率を可変にすることで、画像を得るまでの時間を短縮するものである。
【先行技術文献】
【特許文献】
【０００４】
【特許文献１】特開２００３−２５９３５１号公報
【発明の概要】
【発明が解決しようとする課題】
【０００５】
しかしながら、特許文献１に示す技術は上記に示したような、グループ全員での記念撮影時に生じる問題を解決できる技術ではない。特に、カメラが異なる箇所に複数設置されているような場合には、どのカメラに対して制御を行うかを特定することが困難となり、不都合が生じてしまう。
【０００６】
そこで、本発明は携帯電話機と設置されているカメラとの位置情報により、制御対象となり得るカメラを特定し、携帯電話機の利用者の操作により遠隔地に設置されているカメラによる撮像を可能とする撮像システム等を提供する。
【課題を解決するための手段】
【０００７】
（１）本願に開示する撮像システムは、携帯電話機から遠隔地に設置されたカメラの動作を制御して撮像する撮像システムにおいて、前記携帯電話機の位置を特定する位置特定手段と、前記位置特定手段が特定した前記携帯電話機の位置情報と、設置されているカメラの位置情報とに基づいて、少なくとも前記携帯電話機を含む当該携帯電話機の周辺領域を撮像可能な候補カメラを特定するカメラ候補特定手段と、前記カメラ候補特定手段が特定した候補カメラのうち、実際に撮像を行う一の撮像カメラを決定するカメラ決定手段と、前記カメラ決定手段が決定した撮像カメラと前記携帯電話機との位置関係、及び／又は前記携帯電話機からの操作入力情報に基づいて、前記カメラ決定手段が決定した撮像カメラの動作を制御し、撮像処理を行うカメラ制御手段と、前記撮像カメラが撮像した撮像情報を保存する撮像情報保存手段と、前記撮像情報保存手段が保存した撮像情報をダウンロードするダウンロード手段とを備えることを特徴とするものである。
【０００８】
このように、本願に開示する撮像システムにおいては、携帯電話機の位置情報と複数設置されているカメラのそれぞれの位置情報とに基づいて、携帯電話機の周辺領域を撮像可能な候補となる候補カメラを特定するため、携帯電話機の位置に応じて適切なカメラで撮像することができるという効果を奏する。
【０００９】
また、一の撮像カメラを決定し、携帯電話機の操作により決定された一の撮像カメラの動作を制御するため、携帯電話機を第三者に預けるようなことをしなくても、携帯電話機の利用者を含むグループ全員の集合写真や利用者一人の時の写真等を撮像することができるという効果を奏する。
【００１０】
（２）本願に開示する撮像システムは、前記カメラ候補特定手段が、前記候補カメラを特定した場合に、当該候補カメラの情報を前記携帯電話機に通知することを特徴とするものである。
このように、本願に開示する撮像システムにおいては、携帯電話機の周辺領域を撮像可能な候補カメラが特定された場合に、候補カメラの情報を携帯電話機に通知するため、携帯電話機の利用者は、自分が候補カメラによる撮像可能な領域に進入したことを認識することができ、撮像ポイントを逃さずに確実に撮像を行うことができるという効果を奏する。
【００１１】
（３）本願に開示する撮像システムは、前記カメラ候補特定手段が、前記候補カメラを複数特定した場合に、当該候補カメラの情報を当該候補カメラと前記携帯電話機との距離、又は当該候補カメラごとの撮像情報のダウンロード数順に通知することを特徴とするものである。
【００１２】
このように、本願に開示する撮像システムにおいては、携帯電話機の周辺領域を撮像可能な候補カメラを複数特定した場合に、候補カメラの情報を候補カメラと携帯電話機との距離、又は候補カメラごとの撮像情報のダウンロード数順に通知するため、携帯電話機の利用者は、複数の候補カメラの中から、撮像したい一の撮像カメラを決定しやすくなり、利用者にとって使いやすいシステムを実現することができるという効果を奏する。
【００１３】
（４）本願に開示する撮像システムは、前記カメラ候補特定手段が、前記候補カメラを複数特定した場合に、当該特定された候補カメラごとのリアルタイムの撮像情報を前記携帯電話機に通知し、前記携帯電話機の表示画面に、前記複数の特定された候補カメラごとのリアルタイムの撮像情報を同時に分割表示する表示制御手段を備えることを特徴とするものである。
【００１４】
このように、本願に開示する撮像システムにおいては、携帯電話機の周辺領域を撮像可能な候補カメラを複数特定した場合に、特定された候補カメラごとのリアルタイムの撮像情報を携帯電話機に通知し、携帯電話機の表示画面に、複数の特定された候補カメラごとのリアルタイムの撮像情報を同時に分割表示するため、携帯電話機の利用者は実際に撮像される状態を確認しながら撮像を行いたい一の撮像カメラを決定することができ、利用者にとって使いやすいシステムを実現することができるという効果を奏する。
【００１５】
これまで、本発明をシステムとして示したが、所謂当業者であれば明らかであるように本発明を装置、方法、及び、プログラムとして捉えることもできる。これら前記の発明の概要は、本発明に必須となる特徴を列挙したものではなく、これら複数の特徴のサブコンビネーションも発明となり得る。
【図面の簡単な説明】
【００１６】
【図１】第１の実施形態に係る撮像システムのシステム構成図である。
【図２】第１の実施形態に係る撮像システムにおける管理サーバのハードウェア構成図である。
【図３】第１の実施形態に係る撮像システムにおける携帯電話機のハードウェア構成図である。
【図４】第１の実施形態に係る撮像システムにおける携帯電話機の機能ブロック図である。
【図５】第１の実施形態に係る撮像システムにおける管理サーバの機能ブロック図である。
【図６】第１の実施形態に係る撮像システムにおけるカメラの機能ブロック図である。
【図７】第１の実施形態に係る撮像システムの動作を示すフローチャートである。
【図８】第１の実施形態に係る撮像システムにおける撮像時の携帯電話機の操作画面の一例を示す図である。
【図９】第１の実施形態に係る撮像システムにおけるダウンロード時の携帯電話機の操作画面の一例を示す図である。
【図１０】第１の実施形態に係る撮像システムにおける候補となるカメラを表示する場合の画面の一例を示す図である。
【発明を実施するための形態】
【００１７】
以下、本発明の実施の形態を説明する。本発明は多くの異なる形態で実施可能である。従って、本実施形態の記載内容のみで本発明を解釈すべきではない。また、本実施形態の全体を通して同じ要素には同じ符号を付けている。
【００１８】
以下の実施の形態では、主にシステムについて説明するが、所謂当業者であれば明らかな通り、本発明は装置、方法、及び、コンピュータを動作させるためのプログラムとしても実施できる。また、本発明はハードウェア、ソフトウェア、または、ハードウェア及びソフトウェアの実施形態で実施可能である。プログラムは、ハードディスク、ＣＤ−ＲＯＭ、ＤＶＤ−ＲＯＭ、光記憶装置、または、磁気記憶装置等の任意のコンピュータ可読媒体に記録できる。さらに、プログラムはネットワークを介した他のコンピュータに記録することができる。
【００１９】
（本発明の第１の実施形態）
本実施形態に係る撮像システムについて、図１ないし図１０を用いて説明する。図１は、本実施形態に係る撮像システムのシステム構成図である。撮像システム１は、管理サーバ２０と携帯電話機３０とカメラ４０とをネットワークを介して接続したものである。
【００２０】
管理サーバ２０は、撮像システム１を管理するためのサーバであり、携帯電話機３０やカメラ４０との間でデータのやり取り等を行う。また、処理に必要なデータやカメラが撮像した撮像情報等を保存する処理を行う。携帯電話機３０は、基地局を介して通信を行うことで、利用者３１の操作情報に基づくカメラ４０の遠隔操作、ＧＰＳ（Ｇｌｏｂａｌ  Ｐｏｓｉｔｉｏｎｉｎｇ  Ｓｙｓｔｅｍ）衛星からの信号を受信して位置を特定するＧＰＳ機能、カメラ４０が撮像した撮像情報の表示等を行う機能を有する。カメラ４０は、観光地、観光施設、遊技施設等のようにカメラによる撮像が頻繁に行われる場所に予め複数台設置されており、各カメラ４０は方向、角度、及びズーム倍率等の変更により、ある所定の領域を撮像する。撮像する際には、カメラ４０の方向、角度、及びズーム倍率等を携帯電話機３０から制御することができる。
【００２１】
携帯電話機３０を持った利用者３１は、カメラ４０で撮像可能な領域（撮像ポイントとする）に進入している場合に、そのカメラ４０の動作を携帯電話機３０から制御する。携帯電話機３０が、撮像ポイントに進入しているかどうかは、管理サーバ２０が携帯電話機３０とカメラ４０との位置情報に基づいて判定し、携帯電話機３０に通知する。携帯電話機３０が撮像ポイントに進入している場合には、カメラ４０を携帯電話機３０の方向に向けると共に、利用者３１は携帯電話機３０のディスプレイに表示されているカメラ４０の撮像情報を見ながら、携帯電話機３０の操作ボタンを使ってカメラ４０の動作を制御する。カメラ４０で撮像した撮像情報は、管理サーバ２０に送られ保存される。利用者３１は、管理サーバ２０に保存された撮像情報を携帯電話機３０にダウンロードすることで、撮像情報を取得する。
【００２２】
図２は、本実施形態に係る撮像システムにおける管理サーバのハードウェア構成図である。管理サーバ２０は、ＣＰＵ２１、ＲＡＭ２２、ＲＯＭ２３、ハードディスク（ＨＤとする）２４、通信Ｉ／Ｆ２５、及び入出力Ｉ／Ｆ２６を備える。ＲＯＭ２３やＨＤ２４には、オペレーティングシステムや各種プログラム（例えば、カメラ制御プログラム、画像処理プログラム等）が格納されており、必要に応じてＲＡＭ２２に読み出され、ＣＰＵ２１により各プログラムが実行される。また、ＨＤ２４には、システムに必要なデータ（例えば、カメラの位置情報、カメラの撮像情報、利用者情報等）の重要な情報が格納される。
【００２３】
通信Ｉ／Ｆ２５は、他の装置（例えば、携帯電話機３０、カメラ４０等）と通信を行うためのインタフェースである。入出力Ｉ／Ｆ２６は、キーボードやマウス等の入力機器からの入力を受け付けたり、プリンタやディスプレイ等にデータを出力するためのインタフェースである。この入出力Ｉ／Ｆ２６としてＵＳＢやＲＳ２３２Ｃ等が用いられる。また、必要に応じて、光磁気ディスク、フロッピーディスク（登録商標）、ＣＤ−Ｒ、ＤＶＤ−Ｒ等のリムーバブルディスクに対応したドライブを接続することができる。
【００２４】
図３は、本実施形態に係る撮像システムにおける携帯電話機のハードウェア構成図である。携帯電話機３０は、ＣＰＵ３１、ＲＡＭ３２、ＲＯＭ３３、ハードディスク（ＨＤとする）３４、通信Ｉ／Ｆ３５、ディスプレイ３６、操作キー３７、及びＧＰＳ３８を備える。管理サーバ２０と同様に、ＲＯＭ３３やＨＤ３４には、オペレーティングシステムや各種プログラムが格納されており、必要に応じてＲＡＭ３２に読み出され、ＣＰＵ３１により各プログラムが実行される。また、ＨＤ３４には、アドレス帳情報や取得した撮像情報等が格納される。
【００２５】
通信Ｉ／Ｆ３５は、他の装置（例えば、管理サーバ２０）と通信を行うためのインタフェースである。ディスプレイ３６は、出力情報を表示する画面である。操作キー３７は、利用者が入力したい情報を入力するためのインタフェースである。ＧＰＳ３８は、衛星からの信号を受信して、現在の位置を特定するシステムを実現する。
【００２６】
図４は、本実施形態に係る撮像システムにおける携帯電話機の機能ブロック図である。携帯電話機３０は、携帯通信部３０１とダウンロード部３０２と制御情報生成部３０３と操作制御部３０４とＧＰＳ部３０５と表示制御部３０６と撮像情報部３１０とディスプレイ３２０と操作情報３３０とを備える。
【００２７】
操作制御部３０４は、利用者３１が操作キー３７を使って操作した情報を操作情報３３０として入力し、入力した操作情報３３０に対応する処理を制御する。制御情報生成部３０３は、操作制御部３０４によりカメラ４０の動作を制御する操作が行われた場合に、その操作情報３３０に対応する制御情報を生成し、携帯通信部３０１を介して管理サーバ２０に送信する。管理サーバ２０では、受信した制御情報に応じて、カメラ４０の動作を制御する。
【００２８】
ダウンロード部３０２は、管理サーバ２０に格納されているカメラ４０で撮像した撮像情報や、その他必要な情報（例えば、利用者情報、コンテンツ情報等）を携帯通信部３０１を介して、利用者３１の操作情報３３０にしたがって携帯電話機３０にダウンロードする。ダウンロードした撮像情報は、撮像情報部３１０に格納される。表示制御部３０６は、カメラ４０が映しているリアルタイム映像、撮像後の撮像情報、撮像情報部３１０にダウンロードされた撮像情報等をディスプレイ３２０に表示する。
【００２９】
ＧＰＳ部３０５は、ＧＰＳ衛星からの信号を受信して携帯電話機３０の位置情報（緯度、及び経度）を取得する。取得した位置情報は、携帯通信部３０１を介して管理サーバ２０に送信される。
【００３０】
図５は、本実施形態に係る撮像システムにおける管理サーバの機能ブロック図である。管理サーバ２０は、サーバ通信部２０１とカメラ候補特定部２０２とカメラ決定部２０３とカメラ制御部２０４と撮像情報制御部２０５とカメラ情報部２１１とユーザ情報部２１２と撮像情報部２１３とを備える。
【００３１】
カメラ候補特定部２０２は、カメラ情報部２１１に格納されている複数のカメラ４０の設置位置を示す情報や稼動状況を示す情報、ユーザ情報部２１２に格納されているユーザの携帯電話機３０に関する情報、及びサーバ通信部２０１を介して携帯電話機３０から送信されるＧＰＳによる携帯電話機３０の位置情報に基づいて、少なくとも携帯電話機３０を含むその周辺領域を撮像可能なカメラ４０の候補（以下、候補カメラ４０とする）を特定する。カメラ決定部２０３は、カメラ候補特定部２０２が特定した一又は複数の候補カメラ４０から、実際に撮像を行う一のカメラ４０（以下、撮像カメラ４０とする）を決定する処理を行う。
【００３２】
上記カメラ候補特定部２０２は、候補カメラ４０が複数特定された場合に、特定された複数の候補カメラ４０について順位付けを行う。順位付けのパラメータとしては、携帯電話機３０と候補カメラ４０との距離、候補カメラ４０ごとのダウンロード数等である。つまり、複数の候補カメラ４０を利用者３１に提示し、その中から利用者３１が最も撮像を行いたい一の撮像カメラ４０を選択する場合には、このような順位付けの情報を提示することで、利用者３１は撮像カメラ４０を選択しやすくなる。カメラ決定部２０３は、利用者３１が選択したカメラ４０を正式に撮像を行う撮像カメラ４０として決定する。
【００３３】
なお、カメラ候補特定部２０２が複数の候補カメラ４０を特定した場合であっても、利用者３１には一の撮像カメラ４０のみを提示するようにしてもよい。その場合は、カメラ決定部２０３が、利用者３１に提示する一の撮像カメラ４０を、携帯電話機３０との距離が最短である候補カメラ４０、又はダウンロード数が最多である候補カメラ４０等に決定して提示するようにしてもよいし、それらの候補カメラ４０が他の利用者３１により使用中である場合には、次に距離が近い候補カメラ４０や次にダウンロード数が多い候補カメラ４０等（上記パラメータの優先順位で使用中ではない候補カメラ４０等）を決定して提示するようにしてもよい。
【００３４】
また、カメラ候補特定部２０２が候補カメラ４０を複数特定した場合に、特定された複数の候補カメラ４０のリアルタイム映像を携帯電話機３０に送信するようにしてもよい。携帯電話機３０では、特定された複数の候補カメラ４０のリアルタイム映像が分割表示され、利用者３１は、それらの映像を確認しながら最も撮像に使用したい撮像カメラ４０を選択できるようにしてもよい。
【００３５】
さらに、カメラ候補特定部２０２は、携帯電話機３０の位置情報を常時監視し、カメラ４０により撮像可能エリアに携帯電話機３０が進入した場合に、当該進入したエリアに対応するカメラ４０を候補カメラ４０として携帯電話機３０に提示するようにしてもよいし、任意の期間（例えば、１分、５分、１０分等）ごとに定期的に携帯電話機３０の位置情報を取得し、その取得した時点における候補カメラ４０を特定して提示するようにしてもよい。その場合、候補カメラ４０がないときは、特に提示を行わないようにしてもよい。
【００３６】
さらにまた、利用者３１の携帯電話機３０からの問い合わせがあった場合に、当該携帯電話機３０の位置情報を取得して候補カメラ４０を特定し、利用者３１に提示するようにしてもよい。
【００３７】
カメラ制御部２０４は、カメラ決定部２０３が決定した一の撮像カメラ４０について、サーバ通信部２０１を介してその動作を制御する。撮像カメラ４０を制御するための制御信号を撮像カメラ４０に送信することで、それを受信した撮像カメラ４０が制御信号通りに駆動する。このカメラ制御部２０４は、撮像カメラ４０の位置情報、向き、角度及び携帯電話機３０の位置情報に基づいて、管理サーバ２０内で自動制御を行うことができる。つまり、撮像カメラ４０が携帯電話機３０の方向を向くように、ある程度の動作を制御することが可能である。実際に撮像を行う場合には、人物、風景等に応じてより細かい撮像カメラ４０の制御が要求されるため、携帯電話機３０からの操作により、制御を行うことになる。
【００３８】
撮像情報制御部２０５は、サーバ通信部２０１を介して携帯電話機３０から送信される信号に基づいて、撮像カメラ４０が撮像した撮像情報の制御を行う。具体的には、撮像情報の追加、削除、及び編集等の処理を制御する。撮像カメラ４０が撮像した撮像情報において、利用者３１から保存の指示があるものについては撮像情報部２１３に保存される。
【００３９】
図６は、本実施形態に係る撮像システムにおけるカメラの機能ブロック図である。カメラ４０は、カメラ通信部４０１とカメラ駆動部４０２と撮像部４０３とを備える。駆動部４０２は、管理サーバ２０から送信される制御信号をカメラ通信部４０１を介して受信し、受信した制御信号に基づいて、撮像カメラ４０を駆動する。例えば、撮像カメラ４０の向き、角度、及びズーム倍率等である。撮像部４０３は、管理サーバ２０から送信される制御信号（撮像を指示する信号）をカメラ通信部４０１を介して受信し、撮像を行う。撮像された撮像情報は、管理サーバ２０に送信され、利用者３１の操作に基づいて保存される。
【００４０】
次に、本実施形態に係る撮像システムの動作について説明する。図７は、本実施形態に係る撮像システムの動作を示すフローチャートである。携帯電話機３０を持った利用者３１が、撮像システム１の対象となっている領域（例えば、特定の観光地、観光施設、遊技施設等）内を移動する際に、常時ＧＰＳ衛星からの信号を受信し、携帯電話機３０の位置情報を管理サーバ２０に送信している。
【００４１】
管理サーバ２０では、ＧＰＳ情報に基づいて携帯電話機３０を含む周辺領域を撮像可能な候補カメラ４０を特定する（Ｓ７１）。特定するタイミングは、上述したように、利用者３１からの問い合わせ時、携帯電話機３０が撮像可能エリアに進入した時、及び／又はある任意の期間ごとに定期的に行う。また、特定された候補カメラが複数ある場合は、携帯電話機３０と候補カメラ４０との距離、候補カメラ４０ごとのダウンロード数等に基づいて順位付けを行う。また、必要に応じて、各候補カメラ４０によるリアルタイム映像を携帯電話機３０に表示させる。
【００４２】
上記で行った順位付け、又は利用者３１からの指示情報に基づいて、候補カメラ４０の中から、実際に撮像を行う一の撮像カメラ４０を決定する（Ｓ７２）。決定した一の撮像カメラ４０と携帯電話機３０との位置関係に基づいて撮像カメラ４０の向きを携帯電話機３０の方向に変更する（Ｓ７３）。この変更は、撮像カメラ４０の位置情報、方向、角度、及び携帯電話機３０の位置情報に基づいてある程度自動制御することができる。撮像カメラ４０の撮像画面に携帯電話機３０が入ると、撮像カメラ４０のリアルタイム映像を管理サーバ２０を介して携帯電話機３０に送信する（Ｓ７４）。利用者３１は、送信された撮像カメラ４０のリアルタイム映像を見ながら、撮像カメラ４０の方向、角度、ズーム倍率等を調整するための操作を行い、その操作に基づいて撮像カメラ４０を駆動するための制御情報を生成する（Ｓ７５）。
【００４３】
生成された駆動のための制御情報に基づいて、撮像カメラ４０を駆動し（Ｓ７６）、利用者３１の操作に基づいて撮像カメラ４０による撮像を行う（Ｓ７７）。撮像された撮像情報を携帯電話機３０に送信し、利用者３１に保存を促す。利用者３１は、送信された撮像情報が問題なければ保存するための制御信号を送信し、管理サーバ２０に保存する（Ｓ７８）。利用者３１は、任意のタイミングで管理サーバ２０に保存されている撮像情報を自分の携帯電話機３０にダウンロードして（Ｓ７９）、処理を終了する。
【００４４】
なお、管理サーバ２０に保存されている撮像情報を携帯電話機３０にダウンロードする際には、撮像情報に対して編集（例えば、文字の挿入、絵の挿入、枠の変更、サイズの変更等）を行うことができるようにしてもよい。また、保存されている撮像情報を電子メールで他者に送信できるようにしてもよい。その場合には、音楽等のコンテンツも併せて送信できるようにしてもよい。
【００４５】
次に、利用者３１が操作する携帯電話機３０の操作画面について、一例を挙げて説明する。図８は、本実施形態に係る撮像システムにおける撮像時の携帯電話機の操作画面の一例を示す図である。ここでは、静止画を撮像する場合の操作について説明する。利用者３１は、まず、図８（Ａ）に示すように、現在の場所を選択してＯＫボタンを押下する。この処理は必ずしも行う必要がなく、ＧＰＳ機能を用いることで、場所を特定することが可能となる。
【００４６】
現在の場所が特定されると、図８（Ｂ）に示すように、現在利用可能な候補カメラ４０が表示される。利用者３１は、候補カメラ４０の中からいずれか一の撮像カメラ４０を選択すると、図８（Ｃ）に示すように選択された撮像カメラ４０のリアルタイム映像が表示される。操作キー３７により撮像カメラ４０の動作を操作して撮像を行うと、図８（Ｄ）に示すような画面が表示される。利用者３１は、その画像が特に問題なければＯＫボタンを押下する。取り直しを行いたい場合には、キャンセルボタンを押下すると、図８（Ｃ）の画面に戻って、再度撮像を行うことができる。図８（Ｄ）の画面でＯＫボタンが押下されると、図８（Ｅ）に示すようなメールが管理サーバ２０から携帯電話機３０に送信される。利用者３１は、メールを確認し必要な画像情報をリンク先からダウンロードする。
なお、ダウンロードは、図８（Ｅ）に示すようにリンク先から直接ダウンロードしてもよいが、下記に示す方法でダウンロードするようにしてもよい。
【００４７】
図９は、本実施形態に係る撮像システムにおけるダウンロード時の携帯電話機の操作画面の一例を示す図である。まず、図９（Ａ）に示すように、ダウンロードしたい撮像情報を撮像した場所を選択し、動画と静止画のいずれをダウンロードするかを選択してＯＫボタンを押下する。図９（Ａ）で場所と動画／静止画が選択されると、図９（Ｂ）に示すように、該当する画像の一覧が表示される。利用者３１は、ダウンロードしたい画像を一覧の中から選択すると共に、編集したい画像の枠を選択する。
【００４８】
画像と枠が選択されると、図９（Ｃ）に示すように、それらの組み合わせ画像が表示され、操作キー３７により、画像の位置、サイズ、色等を好みに応じて調整する。最後に図９（Ｄ）に示すように、携帯電話機３０内の保存先を指定して、ダウンロードを行う。
【００４９】
なお、ダウンロードする（又は既にダウンロードしている）画像に文字（ここでは、手書き文字とする）を挿入したい場合は、利用者３１が実際に手書きで書いた文字を携帯電話機３０のカメラ機能で撮像し、画像を携帯電話機３０に保存する。そして、ダウンロードの対象となる画像を選択（又は既にダウンロードされている場合はアップデート）すると共に、手書きで書いた文字の画像をアップロードする。それらの画像を組み合わせて編集を行うことができる。
【００５０】
また、保存されている撮像情報を電子メールで他者に送信する場合には、電子メールの編集画面を表示し、添付ファイルとして撮像情報を送信することができる。併せて音楽等のコンテンツを送信したい場合には、同様に音楽ファイルを添付ファイルとして送信することができる。
【００５１】
図１０は、本実施形態に係る撮像システムにおける候補となるカメラを表示する場合の画面の一例を示す図である。本実施形態に係る撮像システムにおいては、上述したように、撮像可能な候補カメラ４０が複数ある場合に順位付けを行い、その順序にしたがって候補カメラ４０を利用者３１に提示することで、利用者３１が一の撮像カメラ４０を選択しやすいものとしている。
【００５２】
図１０（Ａ）は、携帯電話機３０の現在地とカメラ４０との距離順に候補カメラ４０を提示した場合であり、携帯電話機３０と最短の場所にある候補カメラ４０から順次提示されている。つまり、利用者３１は、人物像（利用者３１本人）を中心に撮像したい場合には、近くにある候補カメラ４０を選択し、人物は小さくてもよいが景色を中心に撮像したい場合には、遠くにある候補カメラ４０を選択することができる。
【００５３】
図１０（Ｂ）は、各カメラ４０ごとのダウンロード数順に候補カメラ４０を提示した場合であり、ダウンロード数が多い候補カメラ４０から順次提示されている。つまり、ダウンロード数が多い候補カメラ４０は、多くの人が望ましい画像を撮像することができたカメラ４０であると判断することができ、人気の高い撮像スポットである。したがって、利用者３１は一の撮像カメラ４０を選択する際の指標とすることができ、同時に満足のいく画像を撮像できる可能性が高くなる。
【００５４】
図１０（Ｃ）は、各候補カメラのリアルタイム映像を分割表示して提示した場合である。利用者３１は、実際に候補カメラ４０が撮像している映像を見ながら、自分の好みの画像が撮像できる一の撮像カメラ４０を選択することができる。
なお、上記各候補カメラ４０の表示について、他者が使用中である場合には、その旨を併せて表示させるようにしてもよい。
【００５５】
以上の前記実施形態により本発明を説明したが、本発明の技術的範囲は実施形態に記載の範囲には限定されず、これら実施形態に多様な変更又は改良を加えることが可能である。そして、このような変更又は改良を加えた実施の形態も本発明の技術的範囲に含まれる。このことは、特許請求の範囲及び課題を解決する手段からも明らかなことである。
【符号の説明】
【００５６】
１  撮像システム
２０  管理サーバ
２１  ＣＰＵ
２２  ＲＡＭ
２３  ＲＯＭ
２４  ＨＤ
２５  通信Ｉ／Ｆ
２６  入出力Ｉ／Ｆ
３０  携帯電話機
３１  ＣＰＵ
３２  ＲＡＭ
３３  ＲＯＭ
３４  ＨＤ
３５  通信Ｉ／Ｆ
３６  ディスプレイ
３７  操作キー
３８  ＧＰＳ
３１  利用者
４０  カメラ
２０１  サーバ通信部
２０２  カメラ候補特定部
２０３  カメラ決定部
２０４  カメラ制御部
２０５  撮像情報制御部
２１１  カメラ情報部
２１２  ユーザ情報部
２１３  撮像情報部
３０１  携帯通信部
３０２  ダウンロード部
３０３  制御情報生成部
３０４  操作制御部
３０５  ＧＰＳ部
３０６  表示制御部
３１０  撮像情報部
３２０  ディスプレイ
３３０  操作情報
４０１  カメラ通信部
４０２  カメラ駆動部
４０３  撮像部
【図１】
2011155584.tif 000003
【図２】
2011155584.tif 000004
【図３】
2011155584.tif 000005
【図４】
2011155584.tif 000006
【図５】
2011155584.tif 000007
【図６】
2011155584.tif 000008
【図７】
2011155584.tif 000009
【図８】
2011155584.tif 000010
【図９】
2011155584.tif 000011
【図１０】
2011155584.tif 000012